(57)【要約】【課題】ぶれた画像を自動的に回避するデジタルカメラを簡素な構成で提供する。【解決手段】制御回路２は、被写体画像の高域成分レベルから演算されたしきい値ｒ１を格納でき、シャッタ釦１０の操作時にしきい値ｒ１と、続いて対物レンズ３０から入力される被写体画像の高域成分レベルを比較する。対物レンズ３０から入力される被写体画像の高域成分レベルが、しきい値ｒ１以上と判定したときは、制御回路２は該被写体画像を撮影する。対物レンズ３０から入力される被写体画像の高域成分レベルが、しきい値ｒ１未満と判定したときは、制御回路２は該被写体画像を撮影せず、続いて読み込まれる被写体画像の高域成分レベルがしきい値ｒ１以上となったときに、被写体画像を撮影する。【選択図】　　図５
2004032332.tif 000002
【特許請求の範囲】
【請求項１】
被写体画像の輝度信号に含まれる高域成分レベルから演算されたしきい値ｒ１を一時的に記憶する手段を有し、シャッタ釦（１０）の操作時に前記しきい値ｒ１と、続いて対物レンズ（３０）から入力される被写体画像の高域成分レベルを比較する制御回路（２）を具え、
制御回路（２）は、対物レンズ（３０）から入力される被写体画像の高域成分レベルが、しきい値ｒ１以上であると判定したときは、該被写体画像を撮影する第１の動作と、
対物レンズ（３０）から入力される被写体画像の高域成分レベルが、しきい値ｒ１未満と判定したときは、続いて読み込まれる被写体画像の高域成分レベルがしきい値ｒ１以上となるまで、該被写体画像の撮影を遅らせる第２の動作を行うことを特徴とするデジタルカメラ。
【請求項２】
対物レンズ（３０）と撮像素子は、オートフォーカス装置（３）に含まれ、被写体画像の高域成分は、該オートフォーカス装置（３）から供給され、しきい値ｒ１は該オートフォーカス装置（３）の合焦状態から演算される請求項１に記載のデジタルカメラ。
【請求項３】
制御回路（２）はタイマー機能を有して、シャッタ釦（１０）が操作されると経過時間の計測を開始し、
第２の動作時にて、一定時間ｔ１内に被写体画像の高域成分レベルがしきい値ｒ１以上とならないときは、制御回路（２）は一定時間ｔ１経過時又は経過後に、被写体画像を撮影する第３の動作を行う請求項１に記載のデジタルカメラ。
【請求項４】
被写体画像の輝度信号に含まれる高域成分レベルから演算されたしきい値ｒ１を一時的に記憶する手段を有し、シャッタ釦（１０）の操作時にしきい値ｒ１と、続いて対物レンズ（３０）から入力される被写体画像の高域成分レベルを比較する制御回路（２）を具え、制御回路（２）はタイマー機能を有して、シャッタ釦（１０）が操作されると経過時間の計測を開始し、
制御回路（２）は、対物レンズ（３０）から入力される被写体画像の高域成分レベルが、しきい値ｒ１以上であると判定したときは、該被写体画像を撮影する第１の動作と、
対物レンズ（３０）から入力される被写体画像の高域成分レベルが、しきい値ｒ１未満であると判定したときは、該被写体画像を撮影せず、
経過時間と、高域成分レベルを一時的に格納するとともに、経過時間に対する高域成分レベルの変化量から、高域成分レベルが最大となる周期ｔｋを演算し、該周期ｔｋに基づいて被写体画像を撮影する第２の動作を行うことを特徴とするデジタルカメラ。
【請求項５】
制御回路（２）は、演算した周期ｔｋを次の撮影まで記憶する手段を有する請求項４に記載のデジタルカメラ。
【請求項６】
被写体画像の輝度信号に含まれる高域成分レベルから演算したしきい値ｒ１を一時的に記憶する手段を有し、シャッタ釦（１０）の操作時にしきい値ｒ１と、続いて対物レンズ（３０）から入力される被写体画像の高域成分レベルを比較する制御回路（２）を具え、
対物レンズ（３０）から入力される被写体画像の高域成分レベルと、一時的に記憶したしきい値ｒ１を比較する工程と、
対物レンズ（３０）から入力される被写体画像の高域成分レベルがしきい値ｒ１以上であるときは、該被写体画像を撮影する工程と、
対物レンズ（３０）から入力される被写体画像の高域成分レベルがしきい値ｒ１未満であるときは、続いて読み込まれる被写体画像の高域成分レベルがしきい値ｒ１以上となるまで、該被写体画像を撮影しない工程を有するデジタルカメラの画像処理方法。
【発明の詳細な説明】
【０００１】
【発明の属する技術分野】
本発明は、デジタルカメラ及びその画像処理方法に関する。
【０００２】
【従来の技術】
図８は、従来のデジタルカメラの内部ブロック図である（特開２００１−３１３８６０号参照）。被写体に反射された光は対物レンズ（３０）によって撮像素子であるＣＣＤ（３３）の受光面に合焦する。ＣＣＤ（３３）は駆動回路（３５）によって露光及び出力タイミングを制御されて、入射光をアナログ電気信号に変換して出力する。即ち、入射光の輝度レベルが高いと、電気信号のレベルも高くなる。ＣＣＤ（３３）からの出力信号はアナログ信号処理回路（３４）に入力されて、サンプリングホールドやゲイン調整が施された後に、Ａ／Ｄコンバータ（３８）によりデジタル信号に変換されて、制御回路（２）を介して、画像メモリ（４）又はメモリカード（９）に格納される。画像メモリ（４）又はメモリカード（９）内の画像は、制御回路（２）を介してＤ／Ａコンバータ（８０）によりアナログ画像に変換された後に、液晶パネル（８）に表示される。制御回路（２）にはシャッタ釦からの操作信号が入力され、シャッタ釦が押圧操作されると、被写体画像が対物レンズ（３０）、ＣＣＤ（３３）を介して撮影され、画像メモリ（４）又はメモリカード（９）に画像データが格納される。
【０００３】
被写体の静止画像を連続して撮影した場合に、撮影者の手振れ、被写体の動き或いはシャッタ釦の押圧操作に伴ってカメラに力が加わることにより、ぶれた画像を撮ってしまうことがある。このように、ぶれて解像度の低い画像は、見映えが悪い。従って、撮影者は被写体の撮影の後に、画像メモリ（４）又はメモリカード（９）から連写した画像を１枚ずつチェックし、ぶれた画像を見つけると、液晶パネル（８）のメニュー画面からぶれた画像を消す旨の信号を送り、制御回路（２）を介して消去していた。
【０００４】
【発明が解決しようとする課題】
従来のデジタルカメラでは、ぶれた画像を撮ってしまった場合は、その都度該画像を手動で消去する必要があった。
この点に鑑みて、特開平１０−１７４０２７号には、図８に一点鎖線で示す構成が開示されている。これは制御回路（２）にＡ／Ｄコンバータ（１５）を介してジャイロセンサ等の手振れ検出センサ（１６）を設け、該手振れ検出センサ（１６）が手振れを検出した時は、制御回路（２）にその旨の信号を送り、制御回路（２）は画像メモリ（４）又はメモリカード（９）内に格納されたぶれた画像に、ぶれている旨の表示を重ねて記録する。
しかし、これではぶれた画像を検索することは便利になっても、依然として手動でぶれた画像を消去しなければならない。
また、図９に示すように、対物レンズ（３０）を上下左右前後に動かす調整機構（１７）を設け、手振れ検出センサ（１６）からの出力を該調整機構（１７）に入力し、手振れの方向と反対に、対物レンズ（３０）を動かすものも知られている。これにより、ぶれない画像を撮ることができる。しかし、対物レンズ（３０）を上下左右前後に動かすから、調整機構（１７）の構成が複雑になる。
出願人は手振れ等により、被写体画像がＣＣＤ（３３）の受光面に合焦しないと、輝度レベルが低下して、輝度信号中の高周波成分である高域成分のレベルが低下することに鑑みて、該高域成分のレベルからぶれた画像を自動的に回避することを着想した。
本発明の目的は、ぶれた画像を自動的に回避するデジタルカメラを簡素な構成で提供することにある。
【０００５】
【課題を解決する為の手段】
制御回路（２）は、被写体画像の輝度信号に含まれる高域成分レベルから演算されたしきい値ｒ１を一時的に記憶する手段を有し、シャッタ釦（１０）の操作時に前記しきい値ｒ１と、続いて対物レンズ（３０）から入力される被写体画像の高域成分レベルを比較し、
制御回路（２）は、対物レンズ（３０）から入力される被写体画像の高域成分レベルが、しきい値ｒ１以上であると判定したときは、該被写体画像を撮影する第１の動作と、
対物レンズ（３０）から入力される被写体画像の高域成分レベルが、しきい値ｒ１未満と判定したときは、続いて読み込まれる被写体画像の高域成分レベルがしきい値ｒ１以上となるまで、該被写体画像の撮影を遅らせる第２の動作を行う。
【０００６】
【作用及び効果】
制御回路（２）は、シャッタ釦（１０）の操作時にしきい値ｒ１と、続いて対物レンズ（３０）から入力される被写体画像の高域成分レベルを比較する。制御回路（２）は、対物レンズ（３０）から入力される被写体画像の高域成分レベルがしきい値ｒ１以上であるときは、該被写体画像を撮影する。制御回路（２）は、対物レンズ（３０）から入力される被写体画像の高域成分レベルがしきい値ｒ１未満であるときは、該被写体画像を撮影せず、続いて読み込まれる被写体画像の高域成分レベルがしきい値ｒ１以上となったときに、被写体画像を撮影する。
即ち、ぶれた画像は自動的に回避されるから、手動でぶれた画像を消去する必要がなく、使い勝手が良くなる。また、従来のように、対物レンズ（３０）を動かす調整機構（１７）を設ける必要がなく、構成が簡素となる。
【０００７】
【発明の実施の形態】
（第１実施例）
以下、本発明の一例を図を用いて詳述する。
図１（ａ）は、カメラ本体（１）の斜視図、図１（ｂ）は、図１（ａ）を背後から見た斜視図である。カメラ本体（１）には、周知の如く、シャッタ釦（１０）、対物レンズ（３０）、ストロボ（７０）などが設けられているとともに、デジタル画像を格納可能なメモリカード（９）が挿入される開口（１１）が設けられている。撮った画像は、カメラ本体（１）の背面に設けられた液晶パネル（８）にて確認でき、液晶パネル（８）には撮像画像の他に、カメラ本体（１）を所望のモードに設定するときに操作されるメニュー画面が表示されるカメラが一般的である。本例にあっては、ぶれた画像を自動的に回避する点に特徴がある。
【０００８】
図２は、本例のデジタルカメラの内部ブロック図である。対物レンズ（３０）を含むオートフォーカス装置（３）からはデジタル画像信号が出力され、該デジタル画像信号はデジタル信号処理回路（６）にて輝度信号と色差信号に分離変換されるとともに、色補正やガンマ補正等の処理が行われた後に、制御回路（２）に入力される。
制御回路（２）には、動作プログラムや後記の一定時間ｔ１の値が格納されたＲＯＭ（２０）、複数枚のデジタル画像が格納される画像メモリ（４）が接続されている。
制御回路（２）は、被写体画像の輝度信号に含まれる高域成分のレベルが格納可能であるとともに、シャッタ釦（１０）の操作時に格納した高域成分のレベルと、続いて対物レンズ（３０）から入力される被写体画像の高域成分レベルを比較する。
制御回路（２）には、またＤ／Ａコンバータ（８０）を介して前記液晶パネル（８）、圧縮伸長回路（９０）を介してメモリカード（９）が接続される。
制御回路（２）は、一般にマイクロコンピュータにて構成されるから、該マイクロコンピュータ内のクロックを分周したタイマー機能を有している。このタイマー機能を用いて、シャッタ釦（１０）を押圧してから経過した時間を測定できる。
尚、制御回路（２）に発振器（図示せず）を外付けしてタイマーを構成してもよい。
【０００９】
図３は、オートフォーカス装置（３）の内部構成を示すブロック図である（特開平４−８４５７２号参照）。対物レンズ（３０）には、ラック（３１）が設けられ、該ラック（３１）はギア列（３２）を介して、モータ（Ｍ）により、光軸Ｌに沿って移動可能に設けられている。モータ（Ｍ）には駆動回路（３５）から給電される。対物レンズ（３０）からの光は、ＣＣＤ（３３）にて電気信号に変換され、アナログ信号処理回路（３４）にてサンプリングホールドやゲイン調整が施された後に、ハイパスフィルタ（ＨＰＦ）（３６）にて高周波成分である高域成分が取り出され、積分回路（３７）で積分された後に、Ａ／Ｄコンバータ（３８）にてデジタル信号に変換される。該デジタル化された積分値は制御回路（２）、コンパレータ（６９）の一方の端子、及びメモリ（３９）に入力される。アナログ信号処理回路（３４）からの画像信号は、Ａ／Ｄコンバータ（６８）にてデジタル変換されて、前記デジタル信号処理回路（６）にも供給される。
【００１０】
メモリ（３９）には、当初の対物レンズ（３０）の位置に於ける被写体画像の高域成分の積分値が格納されており、コンパレータ（６９）の他方の端子には、メモリ（３９）から積分値が入力されている。
駆動回路（３５）は、モータ（Ｍ）に通電して対物レンズ（３０）を一旦前後何れかに動かし、コンパレータ（６９）は対物レンズ（３０）移動後の高域成分レベルの方が大きい場合はハイの信号を駆動回路（３５）に出力し、対物レンズ（３０）移動後の高域成分レベルの方が小さい場合はローの信号を駆動回路（３５）に出力する。駆動回路（３５）は、ＣＣＤ（３３）に電子シャッタパルスを供給するとともに、コンパレータ（６９）の出力信号に応じて、対物レンズ（３０）を光軸Ｌに沿って動かす。
図４は、高域成分の積分値であるレベルと対物レンズ（３０）の光軸上の位置の関係を示すグラフである。当初の対物レンズ（３０）の位置を、図４の１の位置とする。メモリ（３９）にはこのときのレベルが格納されている。駆動回路（３５）は対物レンズ（３０）を光軸Ｌに沿って一旦２の位置に動かす。このときの高域成分のレベルは、１の位置のときのレベルよりも大きいから、コンパレータ（６９）はハイの信号を駆動回路（３５）に出力し、メモリ（３９）には２の位置に於けるレベルが格納される。駆動回路（３５）は更に対物レンズ（３０）を同じ方向に動かし、コンパレータ（６９）はレベルを比較し続ける。
【００１１】
対物レンズ（３０）が図４の４の位置に達すると、前の３の位置に於ける高域成分のレベルの方が大きいから、コンパレータ（６９）はローの信号を出力する。駆動回路（３５）は対物レンズ（３０）を３の位置に戻し、該３の位置にてモータ（Ｍ）への通電を止める。これにより、高域成分のレベルが最も大きな位置にて、対物レンズ（３０）が停止し、被写体の画像がＣＣＤ（３３）上に合焦する。
当初の対物レンズ（３０）の位置が、図４の４の位置であれば、対物レンズ（３０）を５の位置に向かって動かすと、コンパレータ（６９）はローの信号を出力するから、駆動回路（３５）はモータ（Ｍ）を逆転させて対物レンズ（３０）を３の位置に動かす。このようにして被写体画像をＣＣＤ（３３）上に合焦させる方式は、山登り方式とも呼ばれる。尚、ＣＣＤ（３３）はオートアイリス機能を有しており、高域成分のレベルはオートアイリス機能により制限された一定レベル内で検索される。このオートフォーカス、オートアイリスに要する時間は、カメラ本体（１）の機種によっても異なるが、大体０．２〜０．３秒である。
【００１２】
（手ぶれ画像の回避）
撮影者がシャッタ釦（１０）を押し、半押し状態、即ちシャッタ釦（１０）が完全に押し込まれない状態で、オートフォーカス装置（３）が作動開始する。シャッタ釦（１０）が完全に押し込まれると、被写体画像が画像メモリ（４）又はメモリカード（９）に格納される。このオートフォーカス装置（３）が作動開始してから、シャッタ釦（１０）が完全に押し込まれるまでには、タイムラグがあり、この間に撮影者の手振れ、被写体の動き、又はシャッタ釦（１０）の押圧操作に伴ってカメラ本体（１）に力が加わることにより、オートフォーカス装置の合焦点がズレて、被写体画像がぶれてしまうことがある。本例のデジタルカメラにあっては、ぶれた画像を撮ることを自動的に回避しており、図５のフローチャートを用いて、この動作手順を示す。
【００１３】
使用者がシャッタ釦（１０）を押すと（Ｓ１）、オートフォーカス装置（３）が作動する。制御回路（２）はタイマー機能を作動させて時間測定を開始するとともに（Ｓ２）、ＲＯＭ（２０）から一定時間ｔ１の値を読み出す。オートフォーカスやホワイトバランス等の処理がなされる。同時にこのときの被写体画像に含まれる高域成分レベルからしきい値ｒ１を演算して、該しきい値ｒ１を格納する（Ｓ３）。このときの高域成分のレベルは、図４の３の位置に対応するレベルであり、しきい値ｒ１は該レベルに１又は０．８程度の１未満で０を超える係数を乗じた値である。また、ｔ１はシャッタ釦（１０）を押してから、撮影開始までの最大時間であり、１−３秒と考えられるが、これに限定されない。
シャッタ釦（１０）が完全に押し込まれると、制御回路（２）はこのときの被写体画像に含まれる高域成分を読み込む。次に、このときの高域成分のレベルｒ２としきい値ｒ１を比較する。制御回路（２）が読み込んだ高域成分のレベルｒ２が、しきい値ｒ１以上であれば（Ｓ４）、被写体画像はぶれていない、又はぶれが少ないから、制御回路（２）はこのときの被写体画像を画像メモリ（４）又はメモリカード（９）に格納する（Ｓ７）。
【００１４】
制御回路（２）が読み込んだ高域成分のレベルｒ２が、しきい値ｒ１未満であれば（Ｓ４）、被写体画像はぶれていると考えられるから、制御回路（２）は読み込んだ被写体画像を画像メモリ（４）又はメモリカード（９）に格納しない。
制御回路（２）には、オートフォーカス装置（３）から引き続き被写体画像及び高域成分の積分値が入力されるから、引き続いて読み込まれる被写体画像の高域成分のレベルとしきい値ｒ１を比較する（Ｓ５）。制御回路（２）が読み込んだ高域成分のレベルが、しきい値ｒ１以上であれば、制御回路（２）はこのときの被写体画像を画像メモリ（４）又はメモリカード（９）に格納する（Ｓ７）。
即ち、ぶれた画像は自動的に回避されるから、手動でぶれた画像を消去する必要がなく、使い勝手が良くなる。また、従来のように、対物レンズ（３０）を動かす調整機構（１７）を設ける必要がなく、構成が簡素となる。
【００１５】
制御回路（２）が読み込んだ高域成分のレベルが、しきい値ｒ１未満であれば、読み込まれる被写体画像の高域成分のレベルと、しきい値ｒ１を比較し続ける。手振れがひどい場合は、シャッタ釦（１０）を押してから一定時間ｔ１が経過しても、読み込まれる被写体画像の高域成分のレベルが、しきい値ｒ１未満のままである場合が考えられる。この場合、シャッタ釦（１０）を押し込んでから時間が経っても、画像が撮影できないから、撮影者にカメラ本体（１）が故障したと無用な懸念を与える虞れがある。従って、このように、手振れ等がひどく、被写体画像がぶれたままであり続けるときは、一定時間ｔ１の経過時又は経過後に、ぶれた被写体画像を撮影し、画像メモリ（４）又はメモリカード（９）に格納する（Ｓ６、Ｓ７）。このとき、液晶パネル（８）に画像がぶれている旨の警告を表示してもよい。
【００１６】
（第２実施例）
シャッタ釦（１０）の押圧操作に伴ってカメラ本体（１）に力が加わることにより、被写体画像がぶれた場合は、カメラ本体（１）は一旦動いて直ぐ止まるか、或いは揺れ戻して止まる。また、カメラ本体（１）が手振れにて動いているときは、カメラ本体（１）は静止状態と、動いている状態を略周期的に繰り返すことがある。読み込まれる被写体画像の高域成分レベルと、シャッタ釦（１０）が押されてからの経過時間との関係は、図６のグラフに示される。本例にあっては、この静止状態と、動いている状態の周期から、被写体画像を画像メモリ（４）又はメモリカード（９）に格納するタイミングを決定するものであり、動作を図７のフローチャートを用いて説明する。
【００１７】
シャッタ釦（１０）が押圧されてから、しきい値ｒ１が格納されるまでの手順は、上記と同様である。制御回路（２）は、読み込んだ高域成分のレベルが、しきい値ｒ１以上であれば（Ｓ１０）、被写体画像を画像メモリ（４）又はメモリカード（９）に格納する（Ｓ１４）。
制御回路（２）は、読み込んだ高域成分のレベルが、しきい値ｒ１未満であれば（Ｓ１０）、被写体画像の高域成分のレベルとともに、タイマー機能にて測定した経過時間の値を次々に格納する。制御回路（２）は、格納された経過時間と、読み込まれる被写体画像の高域成分レベルの関係から、高域成分レベルが最大となる周期ｔｋを演算する（Ｓ１１）。制御回路（２）は、周期ｔｋの演算結果から次に高域成分レベルが最大となるタイミングを求め、該タイミングに達すると（Ｓ１２）、被写体画像を画像メモリ（４）又はメモリカード（９）に格納する（Ｓ１４）。これにより、ぶれた画像を自動的に回避できる。手振れ等が周期的でなく、又は周期ｔｋが長すぎて一定時間ｔ１を越えるときは（Ｓ１３）、一定時間ｔ１経過時又は経過後に、被写体画像を画像メモリ（４）又はメモリカード（９）に格納する（Ｓ１４）。
カメラ本体（１）を使用する撮影者が同じ人間であれば、何度撮影しても高域成分レベルが最大となる周期ｔｋは変わらないと考えられる。従って、周期ｔｋを制御回路（２）に格納しておき、制御回路（２）は撮影時に周期ｔｋを読み出して、高域成分レベルが最大となるタイミングを求め、被写体画像を画像メモリ（４）又はメモリカード（９）に格納してもよい。
また、この周期ｔｋは撮影回数で平均化してもよい。
【００１８】
即ち、図６に於いて、点Ａにてシャッタ釦（１０）が押され、シャッタ釦（１０）が押されたことにより、点Ｂにてカメラ本体（１）が動いている最中である。従来は点Ｂ付近にて撮影していた。点Ｃにて手振れによるカメラ本体（１）の動きが一旦止まり、点Ａから点Ｃまでの時間が周期ｔｋとなる。点Ｄにてカメラ本体（１）が揺れ戻る途中であり、点Ｅにてカメラ本体（１）が元の姿勢に戻る。
本例にあっては、点Ｃにて被写体画像が撮影される。但し、点Ｂでのレベルが、しきい値ｒ１以上であれば、勿論撮影できる。また、上記第１実施例では、点Ｂから点Ｃに至るまでにて、レベルがしきい値ｒ１を超えた点Ｐにて被写体画像を撮影している。本例にて、点Ｐ及び点Ｃに於けるレベルがしきい値ｒ１以下であるときは、点Ｅにて撮影する。
【００１９】
被写体が例えば建造物のような動かないものであり、三脚を用いて撮影する場合は、手振れや被写体が動くことは考えにくい。従って、液晶パネル（８）の画面から、上記のぶれた画像を自動的に回避するモードを選択し、選択しない場合は通常の撮影としてもよい。
また、撮影中にシャッタ釦（１０）を何回も押す場合は、その都度、ＲＯＭ（２０）から一定時間ｔ１の値を読み出すのは、制御回路（２）の高速処理の妨げとなる。
従って、制御回路（２）をＣＰＵにキャッシュメモリを設けて構成し、該キャッシュメモリに一定時間ｔ１の値を格納してもよい。
【００２０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】（ａ）は、カメラ本体の斜視図、（ｂ）は、（ａ）を背後から見た斜視図である。
【図２】本例のデジタルカメラの内部ブロック図である。
【図３】オートフォーカス装置の内部構成を示すブロック図である。
【図４】高域成分の積分値であるレベルと対物レンズの光軸上の位置との関係を示すグラフである。
【図５】ぶれた画像を自動的に回避する動作手順を示すフローチャートである。
【図６】高域成分の積分値であるレベルと経過時間の関係を示すグラフである。
【図７】別の実施例に於ける、ぶれた画像を自動的に回避する動作手順を示すフローチャートである。
【図８】従来のデジタルカメラの内部ブロック図である。
【図９】別の従来のデジタルカメラの内部ブロック図である。
【符号の説明】
（２）　　制御回路
（３）　　オートフォーカス装置
（４）　　画像メモリ
（９）　　メモリカード
（１０）　　シャッタ釦
（３０）　対物レンズ
【図１】
2004032332.tif 000003
【図２】
2004032332.tif 000004
【図３】
2004032332.tif 000005
【図４】
2004032332.tif 000006
【図５】
2004032332.tif 000007
【図６】
2004032332.tif 000008
【図７】
2004032332.tif 000009
【図８】
2004032332.tif 000010
【図９】
2004032332.tif 000011